(57)【要約】【課題】エラーとしての話中状態とならないようにダイアル番号を入力できる期間を従来よりも長く確保できる電話アダプタ装置を提供する。【解決手段】電話アダプタ装置２０は、オフフックになった後に電話機３０から順次送出されるダイアル番号を受信して記憶部２８に記憶する受信記憶手段２６と、ダイアル番号に対応する回線選択番号を検索して見つかった場合には番号情報を設定する番号設定手段２４と、オフフックになってから番号設定手段２４が番号情報を設定するまでの期間が第１所定期間を超えると記憶部２８に記憶された最初のダイアル番号を発呼し、第１所定期間を経過した後は第１所定期間よりも短い第２所定期間を経過するごとに記憶部２８に記憶されたダイアル番号または番号設定手段２４によって設定された番号情報のうちで一方の番号について一つずつ発呼する制御を行う発呼制御手段２２とを有する。【選択図】図１
2009089128.tif 000002
【特許請求の範囲】
【請求項１】
電話機と電話会社との間に設置され、前記電話機から送出されたダイアル番号を受信し、当該受信したダイアル番号または前記ダイアル番号に回線選択番号を付加した番号情報のいずれかに従って発呼動作を実行する電話アダプタ装置であって、
オフフックになった後に前記電話機から順次送出されるダイアル番号を受信して記憶部に記憶する受信記憶手段と、
前記ダイアル番号に対応する回線選択番号を検索し、見つかった場合には前記ダイアル番号に回線選択番号を付加した番号情報を設定する番号設定手段と、
前記オフフックになってから前記番号設定手段が番号情報を設定するまでの期間が第１所定期間を超えると前記記憶部に記憶された最初のダイアル番号を発呼し、前記第１所定期間を経過した後は前記第１所定期間よりも短い第２所定期間を経過するごとに前記記憶部に記憶されたダイアル番号または前記番号設定手段によって設定された番号情報のうちで一方の番号について一つずつ発呼する制御を行う発呼制御手段とを有する電話アダプタ装置。
【請求項２】
請求項１に記載した電話アダプタ装置であって、
発呼制御手段は、番号設定手段が番号情報を設定したとき、第２所定期間を経過するごとに前記回線選択番号のうちで送出していない回線選択番号の順番に従ってダイアル番号を一つずつ発呼する制御を行う電話アダプタ装置。
【請求項３】
請求項１または２に記載した電話アダプタ装置であって、
発呼制御手段は、記憶部に記憶されたダイアル番号が加入者番号の全部を含むとき、第１所定期間および第２所定期間にかかわらず記憶部に記憶されたダイアル番号または設定された番号情報のうちで送出していない番号情報を連続的に発呼する制御を行う電話アダプタ装置。
【発明の詳細な説明】
【技術分野】
【０００１】
本発明は、電話機（特に明示しない限り、固定電話機を意味する。以下同じである。）と電話会社（具体的には交換機等）との間に設置される電話アダプタ装置に関する。
【背景技術】
【０００２】
従来では、電話機に設定されたダイアル種別と回線種別が不一致の場合、電話回線選択アダプタ装置から発呼されるダイアル番号情報を電話回線の交換機が受け付けず通信不能となる事態を防止する技術の一例が開示されている（例えば特許文献１を参照）。
【特許文献１】特開２０００−３３２９２０号公報
【発明の開示】
【発明が解決しようとする課題】
【０００３】
しかし、電話機から発信する場合、オフフック（すなわち受話器を取り上げて）から第１許容期間（例えば２０秒間）内に何もダイアル番号が送信されなければ、電話会社はエラーとして取り扱うために話中状態にする。また、最初のダイアル番号が送信されてから第２許容期間（例えば４秒間）内ごとに次のダイアル番号が送信されない場合も同様にエラーとして話中状態にする。よって従来の電話回線選択アダプタ装置を用いた場合でも、ダイアル番号の入力を手間取るとエラー（すなわち話中状態）になってしまい、再度初めからダイアル番号を入力しなければならず煩わしかった。
【０００４】
本発明はこのような点に鑑みてなしたものであり、エラーとしての話中状態とならないようにダイアル番号を入力できる期間を従来よりも長く確保できる電話アダプタ装置を提供することを目的とする。
【課題を解決するための手段】
【０００５】
（１）課題を解決するための手段（以下では単に「解決手段」と呼ぶ。）１は、電話機と電話会社との間に設置され、前記電話機から送出されたダイアル番号を受信し、当該受信したダイアル番号または前記ダイアル番号に回線選択番号を付加した番号情報のいずれかに従って発呼動作を実行する電話アダプタ装置であって、オフフックになった後に前記電話機から順次送出されるダイアル番号を受信して記憶部に記憶する受信記憶手段と、前記ダイアル番号に対応する回線選択番号を検索し、見つかった場合には前記ダイアル番号に回線選択番号を付加した番号情報を設定する番号設定手段と、前記オフフックになってから前記番号設定手段が番号情報を設定するまでの期間が第１所定期間を超えると前記記憶部に記憶された最初のダイアル番号を発呼し、前記第１所定期間を経過した後は前記第１所定期間よりも短い第２所定期間を経過するごとに前記記憶部に記憶されたダイアル番号または前記番号設定手段によって設定された番号情報のうちで一方の番号について一つずつ発呼する制御を行う発呼制御手段とを有することを要旨とする。
【０００６】
回線選択番号は、電話会社の識別番号（例えば「００３３」「００７７」「００８８」等）を意味する。第１所定期間は最初のダイアル番号の発呼が必ず認識されるようにするため、上述した第１許容期間よりも短い期間（例えば１８秒間等）を設定する。第２所定期間も第１所定期間と同様にダイアル番号の発呼が必ず認識されるようにするため、上述した第２許容期間よりも短い期間（例えば３．５秒間等）を設定する。発呼は、パルスであるとトーンであるとを問わない。
【０００７】
解決手段１によれば、発呼制御手段は、オフフックになってから番号設定手段が番号情報を設定するまでの期間（以下では単に「設定完了期間」と呼ぶ。）が第１所定期間を超えると、受信記憶手段に記憶された最初のダイアル番号（すなわち一桁の番号）を発呼する制御を行う。設定完了期間は、回線選択番号の有無を含めて当該回線選択番号を確定して設定するのに必要な桁数のダイアル番号（例えば市外局番や携帯電話の電話会社を特定する番号等）が入力されなければならないので、期間の長さは不定期になる。
【０００８】
また第１所定期間を経過した後、発呼制御手段は第２所定期間を経過するごとに記憶部に記憶されたダイアル番号または番号設定手段によって設定された番号情報のうちで一方の番号について一つずつ（すなわち一桁ずつ）発呼する制御を行う。具体的には、番号設定手段によって番号情報が設定されるまでに第１所定期間を超えた場合には、記憶部に記憶されたダイアル番号に従って一つずつ発呼する制御を行う。第１所定期間内に番号設定手段が番号情報が設定した場合には、当該番号情報に従って一つずつ発呼する制御を行う。このように何らかのダイアル番号が入力される限りにおいて、話中状態とならないタイミングで可能な限り遅く一つずつの番号を発呼するので、ダイアル番号を入力できる期間を従来よりも長く確保することができる。
【０００９】
（２）解決手段２は、解決手段１に記載した電話アダプタ装置であって、発呼制御手段は、番号設定手段が番号情報を設定したとき、第２所定期間を経過するごとに前記回線選択番号のうちで送出していない回線選択番号の順番に従ってダイアル番号を一つずつ発呼する制御を行うことを要旨とする。
【００１０】
解決手段２によれば、番号設定手段が番号情報を設定した場合には、当該回線選択番号について第２所定期間を経過するごとに番号を一つずつ発呼する。すなわち全部のダイアル番号を入力し終わっていない場合でも、回線選択番号の桁数だけダイアル番号を入力できる期間をより長く確保することができる。
【００１１】
（３）解決手段３は、解決手段１または２に記載した電話アダプタ装置であって、発呼制御手段は、記憶部に記憶されたダイアル番号が加入者番号の全部を含むとき、第１所定期間および第２所定期間にかかわらず記憶部に記憶されたダイアル番号または設定された番号情報のうちで送出していない番号情報を連続的に発呼する制御を行うことを要旨とする。
【００１２】
解決手段３によれば、記憶部に記憶されたダイアル番号が加入者番号の全部を含む場合には全てのダイアル番号が入力されたことになるので、送出していない番号情報を連続的に発呼する制御を行う。したがって、必要以上に通話開始時期を遅らせないので、利用者を待たせることがない。
【発明の効果】
【００１３】
本発明によれば、オフフックになってから第１所定期間を超えると最初のダイアル番号を発呼し、その後は第２所定期間を経過するごとに記憶部に記憶されたダイアル番号または番号設定手段によって設定された番号情報のうちで一方の番号について一つずつ発呼する制御を行う。したがって、エラーとしての話中状態とならないようにダイアル番号を入力できる期間を従来よりも長く確保することができる。
【発明を実施するための最良の形態】
【００１４】
本発明を実施するための最良の形態について、図１〜図６を参照しながら説明する。
【００１５】
まず図１には、本発明の構成例を模式図で表す。電話アダプタ装置２０は、電話会社１０（具体的には交換機等）と電話機３０との間に設置される。この電話アダプタ装置２０には、受信記憶手段２６、番号設定手段２４、発呼制御手段２２、記憶部２８およびタイマーＴなどを備える。
【００１６】
受信記憶手段２６、番号設定手段２４および発呼制御手段２２は、いずれも対応する処理のプログラムをＣＰＵが実行することで実現される。記憶部２８にはＲＡＭ、フラッシュメモリ、ＥＥＰＲＯＭ等のような記録媒体が用いられ、電話機３０から送出されるダイアル番号や、ダイアル番号（特に市外局番や携帯電話の電話会社を特定する番号等）と回線選択番号との対応関係を規定したテーブル、上述した各種のプログラム等が記憶される。電話回線は下り回線Ｌ２と上り回線Ｌ４とが電話アダプタ装置２０を通り、上述した受信記憶手段２６や番号設定手段２４等は上り回線Ｌ４側に接続される。
【００１７】
受信記憶手段２６は、オフフックになった後に電話機３０から上り回線Ｌ４を通じて順次送出されるダイアル番号を受信して記憶部２８に記憶する。番号設定手段２４は、電話機３０から順次送出されるダイアル番号（具体的には記憶部２８に記憶されたダイアル番号）に対応する回線選択番号を上記テーブルを参照して検索し、見つかった場合にはダイアル番号に回線選択番号を付加した番号情報を記憶部２８に設定する。
【００１８】
発呼制御手段２２は、まずオフフックになってから番号設定手段２４が番号情報を設定するまでの期間が第１所定期間を超えると、受信記憶手段２６に記憶された最初のダイアル番号を発呼する制御を行う。そして第１所定期間を経過した後は、当該第１所定期間よりも短い第２所定期間を経過するごとに、記憶部２８に記憶されたダイアル番号または番号設定手段２４によって設定された番号情報のうち一方の番号について一つずつ発呼する制御を行う。
【００１９】
上述のように構成された電話アダプタ装置２０において実行される手続きについて、図２〜図５を参照しながら説明する。図２と図３には発呼制御処理の手続き例をフローチャートで表し、結合子Ｊを通じて処理が継続される。図４には受信記憶処理の手続き例をフローチャートで表す。図５には番号設定処理の手続き例を表すフローチャートで表す。
【００２０】
図２の発呼制御処理において、電話機３０がオフフックになるまでは待機する〔ステップＳ１０〕。オフフックになると（ステップＳ１０でＹＥＳ）、タイマーＴによる計時をスタートさせ〔ステップＳ１２〕、受信記憶手段２６を実現する受信記憶処理と〔ステップＳ１４〕、番号設定手段２４を実現する番号設定処理とを〔ステップＳ１６〕、第１所定期間が経過するまで繰り返す（ステップＳ１８でＮＯ）。第１所定期間には、最初のダイアル番号の発呼が必ず認識されるようにするため、例えば１８秒間等を設定する。
【００２１】
ステップＳ１４の受信記憶処理について、図４を参照しながら説明する。この受信記憶処理では、電話機３０から送出されるダイアル番号を受信すると（ステップＳ４０でＹＥＳ）、受信した順番に記憶部２８に記憶し〔ステップＳ４２〕、受信記憶処理をリターンする。一方、ダイアル番号を受信しないときは（ステップＳ４０でＮＯ）、そのまま受信記憶処理をリターンする。
【００２２】
ステップＳ１６の番号設定処理について、図５を参照しながら説明する。この番号設定処理では、記憶部２８に記憶されているダイアル番号を取得し〔ステップＳ５０〕、当該取得したダイアル番号（特に市外局番や携帯電話の電話会社を特定する番号等）に基づいてテーブルを参照して回線選択番号を検索する〔ステップＳ５２〕。ステップＳ５２の検索で回線選択番号が見つかると（ＹＥＳ）、ダイアル番号に回線選択番号を付加した番号情報を記憶部２８に設定し〔ステップＳ５４〕、番号設定処理をリターンする。一方、ステップＳ５２の検索で回線選択番号が見つからなければ（ＮＯ）、そのまま番号設定処理をリターンする。
【００２３】
図２に戻って、上述した受信記憶処理および番号設定処理を実行している間にタイマーＴによる計時が第１所定期間を経過すると（ステップＳ１８でＹＥＳ）、最初のダイアル番号を発呼する〔ステップＳ２０〕。最初のダイアル番号は１桁の数字であって、「０」または「１」である。「０」には、市外局番または携帯電話の電話番号が対応する。「１」には、発信者番号通知機能を利用する「１８４」または「１８６」が対応する。
【００２４】
最初のダイアル番号を発呼したので図３に移って、第２所定期間を監視するためにタイマーＴを再スタートさせる〔ステップＳ２２〕。そして、受信記憶処理および番号設定処理を〔ステップＳ２４、Ｓ２６〕、第２所定期間が経過するまで繰り返す（ステップＳ３０でＮＯ）。ステップＳ２４はステップＳ１４と同一処理であり、ステップＳ２６はステップＳ１６と同一処理である。第２所定期間には、ダイアル番号の発呼が必ず認識されるようにするため、例えば３．５秒間等を設定する。
【００２５】
上述した受信記憶処理および番号設定処理を実行している間にタイマーＴによる計時が第２所定期間を経過すると（ステップＳ３０でＹＥＳ）、遅延して発呼できる番号があれば（ステップＳ３２でＹＥＳ）、記憶部２８に記憶されたダイアル番号または図５のステップＳ５６で設定された番号情報について順番に番号を一つ（すなわち一桁）ずつ発呼する〔ステップＳ３４〕。ステップＳ３４で発呼できる番号は、例えば発信者番号通知機能を利用する番号（最初の「１」はステップＳ２０で送出しているので、「８４」または「８６」）が該当する。このように番号を一つずつ発呼する処理は、ダイアル番号の入力を手間取っている場合を考慮して、全ての番号情報を発呼するまでステップＳ２２〜Ｓ３４の処理を繰り返す（ステップＳ３６でＮＯ）。番号情報の全てを発呼し終えると（ステップＳ３６でＹＥＳ）、発呼制御処理をリターンして通話を行う。
【００２６】
一方、第２所定期間を経過する前に全部のダイアル番号が入力されたとき（ステップＳ２８でＹＥＳ）、あるいは遅延して発呼できる番号が無いときは（ステップＳ３２でＮＯ）、記憶部２８に記憶されたダイアル番号または図５のステップＳ５６で設定された番号情報のうち一方について未送出の番号を連続して発呼し〔ステップＳ３８〕、発呼制御処理をリターンして通話を行う。
【００２７】
図６には、ダイアル番号・番号情報を処理する一例をタイムチャートで表す。図６（Ａ）には、発信者番号非通知「１８４」が入力され、第１所定期間ｔａ内にダイアル番号に基づく検索によって回線選択番号が見つからない例を表す。図６（Ｂ）には、発信者番号通知機能が利用されず、第１所定期間ｔａ内にダイアル番号に基づく検索によって回線選択番号が見つからない例を表す。図６（Ｃ）には、発信者番号通知機能が利用されず、番号情報が設定されたものの、全てのダイアル番号が入力されない例を表す。
【００２８】
図６（Ａ）では、時刻ｔ０にオフフックになってから時刻ｔ２までの第１所定期間ｔａ内に８桁のダイアル番号「１８４０９０１２」が入力されている。しかし、携帯電話の電話会社を特定できる桁数（例えば４桁）の番号が入力されておらず、回線選択番号が見つからない（図５のステップＳ５４でＮＯ）。よって第１所定期間ｔａを経過する時刻ｔ２に最初のダイアル番号「１」を発呼し（図２のステップＳ２０）、その後は第２所定期間ｔｂを経過する時刻ｔ４には番号「８」を発呼している（図３のステップＳ３４）。本例では、時刻ｔ６までに携帯電話の電話会社を特定できる桁数の番号が入力されたので回線選択番号「００ＸＹ（ＸとＹは数字である。以下同じ）」が見つかり（図５のステップＳ３６でＹＥＳ）、番号情報を時刻ｔ６以降に連続して発呼している（図３のステップＳ３８）。この番号情報は、発信者番号非通知「１８４」のうち未送出の「４」と、見つかった回線選択番号「００ＸＹ」と、ダイアル番号「０９０１２３４５６７８」とからなる。
【００２９】
図６（Ｂ）では、時刻ｔ０にオフフックになってから時刻ｔ２までの第１所定期間ｔａ内に５桁のダイアル番号「０９０１２」が入力されている。図６（Ａ）の例と同様に携帯電話の電話会社を特定できる桁数の番号が入力されていないため、回線選択番号が見つからない（図５のステップＳ５４でＮＯ）。そのため、第１所定期間ｔａを経過する時刻ｔ２に最初のダイアル番号「０」を発呼し（図２のステップＳ２０）、その後は第２所定期間ｔｂを経過する時刻ｔ４になっても携帯電話の電話会社を特定できる桁数の番号が入力されていないために、回線選択番号が見つからない（図５のステップＳ５４でＮＯ）。よって遅延して発呼できる番号も無いので（ステップＳ３２でＮＯ）、第２所定期間ｔｂを経過する時刻ｔ４以降に未送出のダイアル番号「９０１２３４５６７８」を連続して発呼している（図３のステップＳ３８）。
【００３０】
図６（Ｃ）では、時刻ｔ０にオフフックになってから時刻ｔ２までの第１所定期間ｔａ内に７桁のダイアル番号「０９０１２３４」が入力されている。本例では携帯電話の電話会社を特定できる桁数の番号「１２３４」が入力されたので、対応する回線選択番号を付加した番号情報「００ＸＹ」が設定される（図５のステップＳ５６）。そのため、第１所定期間ｔａを経過する時刻ｔ２に最初のダイアル番号「０」を発呼し（図２のステップＳ２０）、その後は第２所定期間ｔｂを経過する時刻ｔ４、ｔ６になっても全部のダイアル番号が入力されていないために、第２所定期間ｔｂを経過する時刻ｔ４、ｔ６ごとに順番に番号を発呼している（図３のステップＳ３４）。そして、時刻ｔ８に全部のダイアル番号が入力されると（図３のステップＳ２８でＹＥＳ）、未送出の番号情報「Ｙ０９０１２３４５６７８」を連続して発呼している（図３のステップＳ３８）。
【００３１】
上述した実施の形態によれば、以下に表す各効果を得ることができる。
（１）発呼制御手段２２は、オフフックになってから番号情報を設定するまで（図５のステップＳ５６で番号情報を設定するまで）の期間が第１所定期間を超えると、記憶部２８に記憶された最初のダイアル番号を発呼する制御を行った（図２のステップＳ１４〜Ｓ２０を参照）。また第１所定期間を経過した後、第２所定期間を経過するごとに記憶部２８に記憶されたダイアル番号または番号設定手段２４によって設定された番号情報のうち一方の番号について一つずつ発呼する制御を行った（図３のステップＳ２４〜Ｓ３４、図６（Ａ）、図６（Ｂ）を参照）。このように何らかのダイアル番号が入力される限りにおいて、話中状態とならないタイミングで可能な限り遅く一つずつの番号を発呼するので、ダイアル番号を入力できる期間を従来よりも長く確保することができる。
【００３２】
（２）番号設定手段２４が設定を完了した番号情報に回線選択番号を付加した場合には、当該回線選択番号について第２所定期間を経過するごとに番号を一つずつ発呼する制御を行った（図３のステップＳ２４〜Ｓ３４、図６（Ｃ）を参照）。そのため、回線選択番号の桁数だけダイアル番号を入力できる期間をより長く確保することができる。
【００３３】
（３）記憶部２８に記憶されたダイアル番号が加入者番号の全部を含む場合には全てのダイアル番号が入力されたことになるので、送出していないダイアル番号または番号情報を連続的に発呼する制御を行った（図３のステップＳ２８、Ｓ３８を参照）。したがって、必要以上に通話開始時期を遅らせないので、利用者を待たせることがない。
【００３４】
〔他の実施の形態〕
以上では本発明を実施するための最良の形態について説明したが、本発明は当該形態に何ら限定されるものではない。言い換えれば、本発明の要旨を逸脱しない範囲内において、種々なる形態で実施することもできる。例えば、次に示す各形態を実現してもよい。
【００３５】
（１）上述した実施の形態では、電話機３０（すなわち固定電話機）と電話会社１０との間に設置する電話アダプタに適用した（図１を参照）。この形態に代えて、携帯電話機と電話会社１０との間に設置する電話アダプタ装置に適用してもよい。具体的には、携帯電話機に内蔵される発信器と携帯電話機本体（すなわち制御部）との間に備えるか、制御部に発呼制御手段２２、番号設定手段２４、受信記憶手段２６等を組み込めばよい。こうすれば、携帯電話機であってもダイアル番号を入力できる期間を従来よりも長く確保することができる。
【００３６】
（２）上述した実施の形態では、発信者番号通知機能は対応する番号がダイアル番号として入力されることを条件に遅延して発呼する制御を行った（図３のステップＳ２４〜Ｓ３４を参照）。この形態に代えて（あるいは加えて）、発信者番号通知機能は対応する番号「１８４」や「１８６」等をダイアル番号として入力しなくても、第１所定期間または第２所定期間を経過するごとに番号を一つずつ発呼する制御を行ってもよい。
【００３７】
これを実現するには、発信者番号通知機能を利用する番号「１８４」や「１８６」等を電話機３０に設定（記憶）することができ、電話機３０に設定されている番号を取得できることが必要となる。そして、第１所定期間内にダイアル番号に基づく検索によって回線選択番号が見つからなければ（図２のステップＳ１８でＹＥＳ）、発信者番号通知機能の番号「１」を発呼する（図２のステップＳ２０）。さらに第２所定期間内にダイアル番号に基づく検索によって回線選択番号が見つからなければ（図３のステップＳ３０でＹＥＳ）、発信者番号通知機能の残りの番号を一つずつ発呼する（図３のステップＳ３４）。加入者が設定した発信者番号通知機能の番号と同じであれば、番号間違いの影響もなく、かつダイアル番号を入力できる期間をさらに長く確保することができる。
【００３８】
（３）上述した実施の形態では、第１所定期間および第２所定期間は予め設定したが、各期間の長さを変更できるように構成してもよい。例えば電話会社１０の違いや、パルスまたはトーンの違い等に応じて各期間の長さを変更すれば、環境の違いにかかわらず、ダイアル番号を入力できる期間を従来よりも長く確保することができる。
【００３９】
（４）上述した実施の形態では、第２所定期間内に全部の番号が入力されると、送出していないダイアル番号または番号情報を連続的に発呼する制御を行った（図３のステップＳ２８、Ｓ３８を参照）。この形態に加えて、第１所定期間内に全部の番号が入力されると同様の制御を行うように構成してもよい。
【図面の簡単な説明】
【００４０】
【図１】本発明の構成例を表す模式図である。
【図２】発呼制御処理を表すフローチャートである。
【図３】図２に続く発呼制御処理を表すフローチャートである。
【図４】受信記憶処理を表すフローチャートである。
【図５】番号設定処理を表すフローチャートである。
【図６】ダイアル番号・番号情報を処理する一例を表すタイムチャートである。
【符号の説明】
【００４１】
１０  電話会社
２０  電話アダプタ装置
２２  発呼制御手段
２４  番号設定手段
２６  受信記憶手段
２８  記憶部
３０  電話機
Ｌ２、Ｌ４  回線
Ｔ  タイマー
ｔａ  第１所定期間
ｔｂ  第２所定期間
【図１】
2009089128.tif 000003
【図２】
2009089128.tif 000004
【図３】
2009089128.tif 000005
【図４】
2009089128.tif 000006
【図５】
2009089128.tif 000007
【図６】
2009089128.tif 000008